(57)【特許請求の範囲】
【請求項１】
生体に装着される装着部位、又は生体の脈波を測定する測定部位の物理量を取得する第１取得手段と、
前記測定部位に照射された光が前記測定部位で反射された光量に基づく測定信号を取得する第２取得手段と、
前記第１取得手段で取得された前記物理量に応じた前記装着部位の姿勢の重力方向に対する傾きに関して予め定められた条件、前記姿勢の変動幅が予め定められた範囲内であること、及び前記第２取得手段で取得された前記測定信号の変動幅が予め定められた範囲内であることを満たした状態が一定時間継続した場合には、前記測定部位がうっ血状態であると判定する判定手段と
を備えることを特徴とするうっ血判定装置。
【請求項２】
前記第１取得手段は、前記装着部位又は前記測定部位の姿勢及び動きに応じた加速度を前記物理量として取得することを特徴とする請求項１に記載のうっ血判定装置。
【請求項３】
生体に装着される装着部位、又は生体の脈波を測定する測定部位の姿勢及び動きに応じた加速度を取得する第１取得手段と、
前記測定部位に照射された光が前記測定部位で反射された光量に基づく測定信号を取得する第２取得手段と、
前記第１取得手段が取得した前記加速度に基づく前記測定部位の姿勢が重力方向に傾いた姿勢であること、前記加速度の変動幅が予め定められた範囲内であること、及び、非うっ血状態での脈波の測定結果を示す基準信号に対する前記測定信号の振幅の変動幅が予め定められた範囲内であることの各条件を満たすとともに、前記各条件を満たしている状態が一定時間継続していることの条件を満たす場合に前記測定部位がうっ血状態であると判定する判定手段と
を備えることを特徴とするうっ血判定装置。
【請求項４】
前記加速度の変動幅に対する前記予め定められた範囲は脈波の測定対象に応じて定められた範囲であることを特徴とする請求項３に記載のうっ血判定装置。
【請求項５】
請求項１から請求項４のいずれか一項に記載のうっ血判定装置と、
脈波を測定する測定部位に装着され、前記測定部位に照射された光が前記測定部位で反射された光量に基づく測定信号を、前記うっ血判定装置に出力する受発光手段と、
前記うっ血判定装置における判定結果と前記測定信号とに基づいて前記生体の脈波を示す脈波信号を出力する出力手段と
を備えることを特徴とする脈波測定装置。
【請求項６】
第１取得手段が、生体に装着される装着部位、又は生体の脈波を測定する測定部位の物理量を取得し、
第２取得手段が、前記測定部位に照射された光が前記測定部位で反射された光量に基づく測定信号を取得し、
判定手段が、前記第１取得手段で取得された前記物理量に応じた前記装着部位の姿勢の重力方向に対する傾きに関して予め定められた条件、前記姿勢の変動幅が予め定められた範囲内であること、及び前記第２取得手段で取得された前記測定信号の変動幅が予め定められた範囲内であることを満たした状態が一定時間継続した場合には、前記測定部位がうっ血状態であると判定する
ことを特徴とするうっ血判定方法。
【請求項７】
第１取得手段が、生体に装着される装着部位、又は生体の脈波を測定する測定部位の姿勢及び動きに応じた加速度を取得し、
第２取得手段が、前記測定部位に照射された光が前記測定部位で反射された光量に基づく測定信号を取得し、
判定手段が、前記第１取得手段が取得した前記加速度に基づく前記測定部位の姿勢が重力方向に傾いた姿勢であること、前記加速度の変動幅が予め定められた範囲内であること、及び、非うっ血状態での脈波の測定結果を示す基準信号に対する前記測定信号の振幅の変動幅が予め定められた範囲内であることの各条件を満たすとともに、前記各条件を満たしている状態が一定時間継続していることの条件を満たす場合に前記測定部位がうっ血状態であると判定する
ことを特徴とするうっ血判定方法。
【発明の詳細な説明】
【技術分野】
【０００１】
本発明は、うっ血判定装置、脈波測定装置及びうっ血判定方法に関する。
【背景技術】
【０００２】
下記特許文献１には、脈波を測定する部位に一定の押圧を加えて内圧波形を測定する圧脈波センサーが開示されている。この圧脈波センサーは、静脈血の還流路を確保すべく、圧脈波センサーの周囲の生体部位と圧脈波センサーとの間に非押圧領域が形成されるように装着される。
【先行技術文献】
【特許文献】
【０００３】
【特許文献１】特開２００２−２２４０６４号公報
【発明の概要】
【発明が解決しようとする課題】
【０００４】
例えば、腕などの測定部位にベルトを巻きつけて脈波センサーを固定するような場合には、上記特許文献１のように非押圧領域を設けることで、うっ血した状態（以下、うっ血状態という）とならないようにすることができる。しかしながら、測定対象者が腕を下方に長時間垂らしている場合には、測定部位の周辺がうっ血状態となり脈波の測定に悪影響を及ぼす。
本発明は、測定部位がうっ血状態であるか否かを判定する技術を提供する。
【課題を解決するための手段】
【０００５】
本発明に係るうっ血判定装置は、  生体に装着される装着部位、又は生体の脈波を測定する測定部位の物理量を取得する第１取得手段と、前記測定部位に照射された光が前記測定部位で反射された光量に基づく測定信号を取得する第２取得手段と、前記第１取得手段で取得された前記物理量に応じた前記装着部位の姿勢の重力方向に対する傾きに関して予め定められた条件、前記姿勢の変動幅が予め定められた範囲内であること、及び前記第２取得手段で取得された前記測定信号の変動幅が予め定められた範囲内であることを満たした状態が一定時間継続した場合には、前記測定部位がうっ血状態であると判定する判定手段とを備えることを特徴とする。この構成によれば、測定部位がうっ血状態であるか否かを判定することができる。
【０００６】
また、本発明に係るうっ血判定装置は、上記うっ血判定装置において、前記第１取得手段は、前記装着部位又は前記測定部位の姿勢及び動きに応じた加速度を前記物理量として取得することとしてもよい。
また、本発明に係るうっ血判定装置は、生体に装着される装着部位、又は生体の脈波を測定する測定部位の姿勢及び動きに応じた加速度を取得する第１取得手段と、前記測定部位に照射された光が前記測定部位で反射された光量に基づく測定信号を取得する第２取得手段と、前記第１取得手段が取得した前記加速度に基づく前記測定部位の姿勢が重力方向に傾いた姿勢であること、前記加速度の変動幅が予め定められた範囲内であること、及び、非うっ血状態での脈波の測定結果を示す基準信号に対する前記測定信号の振幅の変動幅が予め定められた範囲内であることの各条件を満たすとともに、前記各条件を満たしている状態が一定時間継続していることの条件を満たす場合に前記測定部位がうっ血状態であると判定する判定手段とを備えることを特徴とする。この構成によれば、測定部位がうっ血状態であるか否かを的確に判定することができる。
【０００７】
また、本発明に係るうっ血判定装置は、上記うっ血判定装置において、前記加速度の変動幅に対する前記予め定められた範囲は脈波の測定対象に応じて定められた範囲であることとしてもよい。
この構成によれば、脈波の測定対象となる生体に適した判定を行うことができる。
【０００８】
また、本発明に係る脈波測定装置は、上記いずれかのうっ血判定装置と、脈波を測定する測定部位に装着され、当該測定部位に光を照射し、照射した光が当該測定部位を透過又は反射した光の受光量に基づく測定信号を前記うっ血判定装置に出力する受発光手段と、前記うっ血判定装置における判定結果と前記測定信号とに基づいて前記生体の脈波を示す脈波信号を出力する出力手段とを備えることを特徴とする。この構成によれば、うっ血状態に応じた脈波信号を出力することができる。
【０００９】
また、本発明に係るうっ血判定方法は、第１取得手段が、生体に装着される装着部位、又は生体の脈波を測定する測定部位の物理量を取得し、第２取得手段が、前記測定部位に照射された光が前記測定部位で反射された光量に基づく測定信号を取得し、判定手段が、前記第１取得手段で取得された前記物理量に応じた前記装着部位の姿勢の重力方向に対する傾きに関して予め定められた条件、前記姿勢の変動幅が予め定められた範囲内であること、及び前記第２取得手段で取得された前記測定信号の変動幅が予め定められた範囲内であることを満たした状態が一定時間継続した場合には、前記測定部位がうっ血状態であると判定することを特徴とする。また、本発明に係るうっ血判定方法は、第１取得手段が、生体に装着される装着部位、又は生体の脈波を測定する測定部位の姿勢及び動きに応じた加速度を取得し、第２取得手段が、前記測定部位に照射された光が前記測定部位で反射された光量に基づく測定信号を取得し、判定手段が、前記第１取得手段が取得した前記加速度に基づく前記測定部位の姿勢が重力方向に傾いた姿勢であること、前記加速度の変動幅が予め定められた範囲内であること、及び、非うっ血状態での脈波の測定結果を示す基準信号に対する前記測定信号の振幅の変動幅が予め定められた範囲内であることの各条件を満たすとともに、前記各条件を満たしている状態が一定時間継続していることの条件を満たす場合に前記測定部位がうっ血状態であると判定することを特徴とする。この構成によれば、測定部位がうっ血状態であるか否かを判定することができる。
【図面の簡単な説明】
【００１０】
【図１】実施形態に係る脈波測定装置の外観を表す図である。
【図２】実施形態に係る脈波測定装置の構成例を示すブロック図である。
【図３】実施形態における制御部の機能ブロックを表す図である。
【図４】実施形態における装着部位の姿勢を説明する図である。
【図５】実施形態に係る脈波測定装置の全体動作を表す動作フロー図である。
【図６】実施形態における判定処理Ａの動作フロー図である。
【図７】実施形態における判定処理Ｂの動作フロー図である。
【図８】（ａ）は加速度信号の波形例を示す図である。（ｂ）は、（ａ）の加速度信号に基づく移動標準偏差の波形を示す図である。
【図９】（ａ）は脈波の測定信号の波形例を示す図である。（ｂ）は、（ａ）の測定信号に基づく移動標準偏差の波形を示す図である。
【発明を実施するための形態】
【００１１】
＜構成＞
図１は、本実施形態に係る脈波測定装置の外観を示す図である。図１（ａ）は、脈波測定装置１を上面から見た図である。脈波測定装置１は、生体２の手首に装着される装置本体１０と、脈波を測定する測定部位に装着される脈波センサー２０とをケーブル３０で接続して構成されている。本実施形態では、脈波センサー２０は、図１（ｂ）に示すように、人差指の根元の手のひら側にバンド４０によって固定される。
【００１２】
装置本体１０には、ディスプレイ１５と脈波測定装置１を操作するための操作スイッチ１６が設けられている。また、装置本体１０には３軸の加速度センサー１７が内蔵されている。加速度センサー１７は、加速度を検出する３軸の方向が図１（ａ）のＸＹＺ軸と一致するように設けられ、加速度センサー１７に加わる力によって生じるＸＹＺ軸方向の加速度を検出する。具体的には、図１（ａ）において、装置本体１０の左右方向（手の延在方向）とＸ軸が対応し、装置本体１０の上下方向（手首の幅方向）とＹ軸とが対応し、ＸＹ軸と直交する紙面に垂直な方向（装置本体１０のディスプレイ１５から手首に向かう方向）とＺ軸とが対応する。本実施形態では、装置本体１０は、本発明のうっ血判定装置として機能し、装置本体１０が装着される手首が装着部位に相当する。以下、脈波測定装置１の各構成を脈波センサー２０、装置本体１０の順に説明する。
【００１３】
図２は、脈波測定装置１の構成を表すブロック図である。脈波センサー２０は、受発光部２１０及び駆動部２２０有する。受発光部２１０は、例えば青色光の波長の光を発するＬＥＤ（Light Emitting Diode）などの発光素子と、青色光の光を受光するフォトダイオードなどの受光素子とを有する。駆動部２２０は、発光素子の発光強度と発光タイミングを制御する制御信号がアナログ制御回路（不図示）から供給され、この制御信号の振幅に応じた大きさの電流を受発光部２１０の発光素子に供給する。
【００１４】
図１（ｂ）において、測定部位（指）と接触している脈波センサー２０の部分には、ガラス板などの光を透過させる透過板（図示略）が設けられており、透過板の下方に受発光部２１０が設けられている。受発光部２１０の発光素子は、透過板の方向が光軸方向となるように固定され、受発光部２１０の受光素子は、透過板の方向に受光面が向くように固定されている。発光素子から発した光は透過板を透過して測定部位に照射され、測定部位から反射した光を透過板を介して受光素子が受光する。受光素子は、受光量に応じた大きさの電流の測定信号をケーブル３０を介して装置本体１０に送出する。
【００１５】
測定部位における血管は、心拍と同周期で膨張と収縮を繰り返しており、血管の膨張と収縮の周期と同じ周期で発光素子から発せられた光の吸収量が増減し、その増減に合わせて反射光の強度が変化する。そのため、受光素子に流れる電流は測定部位における血管の容積変化を示す成分を有するものとなっている。
【００１６】
装置本体１０は、制御部１１０、信号処理部１２０、計時部１３０、クロック供給部１４０、表示部１５０、操作部１６０、姿勢検出部１７０、及び記憶部１８０を有する。制御部１１０は、ＣＰＵ（Central Processing Unit）とメモリ（ＲＯＭ（Read Only Memory）及びＲＡＭ（Random Access Memory））を有し、ＲＯＭに記憶されている制御プログラムをＣＰＵが実行することにより制御部１１０と接続されている各部を制御する。具体的には、制御部１１０は、測定部位がうっ血状態か否かを判定する判定処理と、測定部位の状態に応じた脈波信号を出力する出力処理とを行う。制御部１１０の機能の詳細については後述する。
【００１７】
信号処理部１２０は、第１信号処理部１２０ａ（図３）と第２信号処理部１２０ｂ（図３）とを有する。第１信号処理部１２０ａは、第１取得手段として機能する。第１信号処理部１２０ａは、脈波センサー２０の受発光部２１０から出力される測定信号を取得して増幅するアンプ（図示略）と、増幅した信号を予め定められたサンプリング周波数で量子化するＡ／Ｄ変換回路（図示略）とを有する。第２信号処理部１２０ｂは、第２取得手段として機能する。第２信号処理部１２０ｂは、後述する加速度センサー１７から出力される加速度を示す信号（以下、加速度信号と言う）を取得して予め定められたサンプリング周波数で量子化するＡ／Ｄ変換回路（図示略）を有する。なお、本実施形態において加速度は本発明の物理量の一例である。
【００１８】
計時部１３０は、クロック供給部１４０の計時クロック信号をカウントして時刻を計時する。クロック供給部１４０は、発振回路と分周回路とを有し、発振回路によって基準クロック信号を制御部１１０へ供給するとともに、分周回路により計時用の計時クロック信号を生成して制御部１１０へ供給する。表示部１５０は、ディスプレイ１５を有し、制御部１１０の制御の下、計時部１３０で計時された時刻の情報や脈波を測定するためのメニュー画面、測定結果などの各種画像を表示する。操作部１６０は、操作スイッチ１６を有し、操作スイッチ１６が操作された操作信号を制御部１１０へ送出する。姿勢検出部１７０は、加速度センサー１７を有し、加速度センサー１７において検出される各軸方向の加速度を示す加速度信号を出力する。記憶部１８０は、後述する判定処理に用いられる閾値のデータや波形データなどの各種データを記憶する。
【００１９】
次に、制御部１１０の機能について説明する。図３は、制御部１１０における判定処理と出力処理の機能を実現するための機能ブロックと他の一部の構成とを表す図である。制御部１１０は、判定部１１１と脈波出力部１１２とを有する。判定部１１１は、判定手段として機能する。判定部１１１は、第２信号処理部１２０ｂで加速度信号をＡ／Ｄ変換した各データ（以下、加速度データという）に基づいて、装着部位が安静状態（体動を殆ど受けていない状態）であるか否かの判定（以下、第１判定という）と、測定部位がうっ血しやすい姿勢か否か（装着部位が重力方向に傾いた姿勢か否か）の判定（以下、第２判定という）を行うと共に、第１信号処理部１２０ａからの測定信号をＡ／Ｄ変換した各データ（以下、測定データという）に基づいて測定部位における血管の容積の変化が一定以上か否かの判定（以下、第３判定という）を行う。以下、各判定について説明する。
【００２０】
第１判定は、第１判定条件に基づいて装着部位が安静状態か否か判定する。第１判定条件は、加速度データに基づいて算出した加速度の変動幅が記憶部１８０内の閾値以下であることを条件とする。判定部１１１は、第１判定条件を満たす場合に安静状態と判定する。加速度の変動幅は、本実施形態では、各軸方向の加速度データについての移動標準偏差を用いるが、各軸方向の加速度についての移動平均値など、加速度の変位を表す指標であればこれに限らない。
【００２１】
第２判定は、第２判定条件に基づいてうっ血しやすい姿勢か否か判定する。ここで、装着部位の姿勢と各軸方向の加速度との関係について説明する。図４（ａ）（ｂ）は、測定対象者Ａが矢印Ｐの方向に向いて立っている状態を示している。この図において、ＸＹＺ軸は、図１と同様に装置本体１０における加速度センサー１７の検出軸の方向を示している。図４（ａ）は、測定対象者Ａが装置本体１０の装着部位ａを水平にしている状態であり、図４（ｂ）は、測定対象者Ａが腕を下ろして装着部位ａを重力方向に傾けている状態である。
図４（ａ）の状態では、加速度センサー１７は、Ｚ軸方向に重力Ｇが加わり、検出されるＸＹＺ軸の各加速度成分（ａｘ、ａｙ、ａｚ）は、ａｘ＝０ｍ／ｓ2、ａｙ＝０ｍ／ｓ2、ａｚ＝９．８ｍ／ｓ2となる。図４（ｂ）の姿勢では、加速度センサー１７は、Ｘ軸方向に重力加速度が加わり、検出されるＸＹＺ軸の各加速度成分（ａｘ、ａｙ、ａｚ）は、ａｘ＝９．８ｍ／ｓ2、ａｙ＝０ｍ／ｓ2、ａｚ＝０ｍ／ｓ2となる。このように、装着部位を重力方向に傾けた姿勢となっている場合には、Ｘ軸方向の加速度成分は重力加速度に相当する値となる。図４（ｂ）のように、装着部位ａを重力方向に傾けた姿勢では指先の方から上腕に向けて血液が戻りにくくなるため、このような姿勢のときはうっ血しやすい。そのため、第２判定条件は、Ｘ軸方向の加速度データが重力方向に相当する値となっていることを条件とし、判定部１１１は、第２判定条件を満たす場合に測定部位がうっ血しやすい姿勢であると判定する。
【００２２】
第３判定は、第３判定条件に基づいて測定部位における血管の容積の変化が一定以上か否か判定する。第３判定条件は、測定データから算出した測定信号の変動幅が記憶部１８０内の閾値以下であることを条件とする。測定信号の変動幅は、本実施形態では、装着部位を水平にした姿勢で体動を殆ど受けていない状態で脈波を測定したときの測定信号（以下、基準信号という）の振幅に対する測定信号の振幅の比である。記憶部１８０には、この基準信号の波形データが予め記憶されている。判定部１１１は、第３判定条件を満たす場合に測定部位における血管の容積の変化が一定以上ではないと判定する。上述したように、測定部位における血管は心拍と同周期で膨張と収縮を繰り返し、測定信号は血管の容積変化の成分を含む。うっ血している場合には静脈血が増加するため測定部位における静脈の血管の容積は増加するが、動脈と静脈の血流量が減少することで動脈と静脈の血管の膨張と収縮が弱まり、うっ血していない場合と比べて測定部位における血管の容積の変化量も小さくなる。その結果、うっ血している場合には、測定信号の振幅はうっ血していない場合よりも小さくなる。なお、測定信号の変動幅としては、測定信号の移動標準偏差や移動平均値など、測定信号の振幅の変化を表す指標であればよい。
【００２３】
判定部１１１は、第１判定条件、第２判定条件、第３判定条件を全て満たす場合に、計時部１３０により計時を開始し、各判定条件を満たしている状態が一定時間継続している場合（第４判定条件）に測定部位がうっ血状態であると判定する。
【００２４】
脈波出力部１１２は、適応フィルタ処理部１１２ａと解析部１１２ｂとを有する。適応フィルタ処理部１１２ａは、うっ血状態の場合には、第１信号処理部１２０ａから出力される測定データと、第２信号処理部１２０ｂから出力された加速度データを適応フィルタに通して、体動ノイズを除去してその結果を解析部１１２ｂに出力し、非うっ血状態の場合には、第１信号処理部１２０ａから出力される測定データの信号を脈波信号として解析部１１２ｂに出力する。
【００２５】
体動ノイズを除去する適応フィルタは、脈波データを入力信号とし、加速度データを学習信号としたＬＭＳ（Least Mean Square）アルゴリズムなどの周知の適応アルゴリズムを用いてもよい。体動除去アルゴリズムの学習信号となる加速度データは、加速度センサー１７で検出される加速度信号に基づく各加速度データ（ａｘ，ａｙ，ａｚ）から合成加速度ａ＝（ａｘ2＋ａｙ2＋ａｚ2）1/2を求めた結果であってもよい。また、適応フィルタを２回に分けて使い、1回目にはＸ軸の加速度成分を学習信号とし、２回目には、Ｘ軸の加速度成分を除去した出力を入力信号とし、Ｙ軸の加速度成分を学習信号としても良い。
【００２６】
解析部１１２ｂは、適応フィルタ部１１２ａに出力された体動ノイズ除去済の脈波信号から脈拍間隔及び脈拍数を計算する。具体的には、解析部１１２ｂは、脈拍信号の波形において所定時間毎のＦＦＴを計算し、スペクトルパワーが最も強い周波数を所定時間内の脈波の周波数とする。さらに、その周波数の逆数をもって、所定時間内の平均脈拍間隔を示す情報を表示部１５０に出力する。
【００２７】
＜動作例＞
以下、本実施形態に係る脈波測定装置１の動作例を説明する。図５は、脈波測定装置１の動作フローを示す図である。脈波測定装置１の制御部１１０は、操作部１６０を介して脈波を測定する操作を受付けると（ステップＳ１０：ＹＥＳ）、脈波センサー２０において、測定部位に光を照射し、測定部位で反射された光を受光して受光量に応じた測定信号の出力を開始させるとともに、加速度センサー１７において、装置本体１０の装着部位における加速度を検出して加速度信号の出力を開始させる（ステップＳ１１）。なお、制御部１１０は、操作部１６０を介して脈波を測定する操作を受付けなければ（ステップＳ１０：ＮＯ）、操作がなされるまで待機する。
【００２８】
制御部１１０は、脈波センサー２０及び加速度センサー１７から測定信号と加速度信号が出力されると、第１判定、第２判定、及び第３判定を含む判定処理Ａを開始する（ステップＳ１２）。ここで、判定処理Ａの動作フローを図６に示す。制御部１１０は、まず第１判定を行う。具体的には、制御部１１０は、加速度センサー１７から出力された加速度信号を第２信号処理部１２０ｂにおいてＡ／Ｄ変換し、時系列の各加速度データ（ａｘ，ａｙ，ａｚ）を取得してＲＡＭに記憶し、各軸方向の加速度データについて、一定時間ごと（例えば３秒ごと）の移動標準偏差を加速度の変動幅として算出する（ステップＳ２０１）。そして、制御部１１０は、各軸方向の加速度の移動標準偏差が記憶部１８０内に記憶されている閾値以下である場合には安静状態であると判定し（ステップＳ２０２：ＹＥＳ）、ステップＳ２０３の第２判定の処理に移行する。
【００２９】
制御部１１０は、各加速度データのうち、Ｘ軸方向の加速度データａｘが重力加速度に相当する値である場合にはうっ血しやすい姿勢であると判定し（ステップＳ２０３：ＹＥＳ）、ステップＳ２０４の第３判定の処理に移行する。具体的には、制御部１１０は、脈波センサー２０から出力される測定信号を第１信号処理部１２０ａにおいてＡ／Ｄ変換し、第１信号処理部１２０ａから時系列の各測定データを取得してＲＡＭに記憶する。そして、制御部１１０は、測定データに基づく測定信号の振幅を求め、記憶部１８０内の基準信号の波形データを用いて、基準信号の振幅に対する測定信号の振幅の比を測定信号の振幅の変動幅として算出する（ステップＳ２０４）。そして、制御部１１０は、基準信号の振幅に対する測定信号の振幅の比が閾値（１／３乃至１／４）以下である場合（ステップＳ２０５：ＹＥＳ）、測定部位における血管の容積の変化が一定以上ではないと判定する。また、制御部１１０は、ステップＳ２０２、ステップＳ２０３、ステップＳ２０５において否定的な判定を行った場合には（ステップＳ２０２：ＮＯ、ステップＳ２０３：ＮＯ、ステップＳ２０５：ＮＯ）、ステップＳ２０６に処理を移行する。
【００３０】
制御部１１０は、第１判定から第３判定までの判定結果を順次メモリに記憶し（ステップＳ２０６）、脈波の測定を終了する操作が操作部１６０を介してなされるまで（ステップＳ２０７：ＮＯ）、上述したステップＳ２０１〜Ｓ２０６の処理を繰り返し行う。制御部１１０は、脈波の測定を終了する操作が操作部１６０を介してなされたときに（ステップＳ２０７：ＹＥＳ）、処理を終了する。判定処理Ａの動作は以上の通りである。図５に戻り、説明を続ける。
【００３１】
制御部１１０は、ステップＳ１２における判定結果をメモリから読み出し、第４判定の判定処理Ｂを行う（ステップＳ１３）。以下、判定処理Ｂの動作について説明する。図７は、判定処理Ｂの動作フローである。制御部１１０は、ステップＳ１２における判定結果をメモリから読み出し、第１判定から第３判定までの判定結果がいずれも肯定的である場合には（ステップＳ３０１：ＹＥＳ）、計時部１３０により計時を開始する（ステップＳ３０２）。そして、制御部１１０は、所定時間（例えば２０秒間）が経過するまで、メモリから判定結果を順次読み出し、読み出した判定結果がいずれも肯定的な判定結果であるか否か確認する（ステップＳ３０３、ステップＳ３０４：ＮＯ）。制御部１１０は、所定時間が経過するまでいずれの判定結果も肯定的である場合、所定時間が経過した際に測定部位がうっ血状態であると判定する（ステップＳ３０３：ＹＥＳ、ステップＳ３０５）。また、制御部１１０は、ステップＳ３０１又はステップＳ３０３において第１判定から第３判定までの判定結果がいずれも肯定的でない場合（ステップＳ３０１：ＮＯ又はステップＳ３０３：ＮＯ）、非うっ血状態であると判断して（ステップＳ３０６）、判定処理Ｂを終了する。判定処理Ｂの動作は以上の通りである。以下、図５に戻り説明を続ける。
【００３２】
制御部１１０は、ステップＳ１３の判定処理Ｂの判定結果に基づいて脈波信号を出力する処理を行う（ステップＳ１４）。具体的には、制御部１１０は、ステップＳ１３においてうっ血状態であると判断した場合には、うっ血状態と判断した期間の各加速度データ（ａｘ，ａｙ，ａｚ）から合成加速度ａを算出し、合成加速度ａにフィルタ係数列ｗを畳み込んだ演算結果をノイズ波形として生成する。そして、制御部１１０は、第１信号処理部１２０ａから出力される測定データの波形信号からノイズ波形信号を減算した結果を脈波信号とし、ノイズ成分を含まない脈波信号となるようにフィルタ係数列ｗを更新する。また、制御部１１０は、ステップＳ１３において非うっ血状態であると判断した場合には、非うっ血状態であると判断した期間の測定データの波形信号を脈波信号とする。制御部１１０は、ステップＳ１４において特定した脈波信号の波形におけるピークの時間間隔を脈拍間隔とし、脈拍信号の波形において所定時間毎のピークの出現頻度を脈拍数として検出し、検出した脈拍間隔と脈拍数とを示す画像を表示部１５０に表示させる（ステップＳ１５）。
【００３３】
上記したように、本実施形態では、加速度センサー１７からの出力信号と脈波センサー２０からの出力信号とに基づいて測定部位がうっ血状態か否か判定する。このように、加速度と脈波の測定結果とからうっ血状態を判定できることは、発明者らの以下の実験結果にも現われている。
【００３４】
図８（ａ）及び図９（ａ）は、脈波測定装置１を用いて脈波の測定を行ったときの加速度信号と測定信号の波形を表す図である。この例では、脈波測定装置１を装着した測定対象者が、最初の３０秒間は安静状態で装着部位を略水平にした姿勢をとり（期間Ａ）、その後６０秒間は装着部位を下に向けて指先を重力方向に向けたうっ血しやすい姿勢をとり（期間Ｂ）、その後４０秒間は装着部位を下に向けた状態で手を前後に振る動作を行い（期間Ｃ）、最後の２０秒間は安静状態で装着部位を略水平にした姿勢をとる（期間Ｄ）という一連の動作を行った。
【００３５】
図８（ａ）において、加速度「７００〜７５０」は重力加速度に相当する値であり、加速度「５１２」付近が加速度センサー１７の３軸の原点に相当する値である。期間Ａでは、Ｚ軸方向の加速度成分が重力加速度に相当する値で推移し、Ｘ軸の加速度成分は原点付近の値で推移している。Ｙ軸の加速度成分値は５１２よりやや下回り、測定装置が装着されて肘が少しねじれていることを示している。期間Ａから期間Ｂに移行した時（３０秒）には各軸方向の加速度は大きく変動し、その後はいずれの軸方向の加速度もほとんど変動していない。期間Ｂでは、装着部位を下に向けて指先を重力方向に向けたため、Ｘ軸に重力加速度がかかり、ほぼ重力加速度に相当する値で推移している。Ｙ軸、Ｚ軸の加速度成分が５１２より高い水準で推移しているのは、Ｙ軸とＺ軸とが成す平面が少し傾いて、完全に水平になっていないことを示している。この状態は、図８（ｂ）に示す、図８（ａ）の加速度について算出した移動標準偏差の波形にも現われている。すなわち、図８（ｂ）において、装置本体１の装着部位を水平にした姿勢から重力方向に傾けた姿勢となったとき、手を傾けたときの力の方向に応じて３軸の各加速度成分は大きく変動し、移動標準偏差も大きな値となる。手を重力方向に傾けた後は手は動かされていないため、どの軸方向の加速度成分も殆ど変化なく低いレベル（０〜５）で推移している。期間Ｂから期間Ｃに移行すると、期間Ｂにおける３軸の加速度成分の大小関係を維持した状態で、手を振る力の大きさに応じて各軸方向の加速度及び移動標準偏差は変動している。期間Ｃから期間Ｄに移行すると、期間Ａと同様にＺ軸方向の加速度成分が重力加速度に相当する値で推移している。
【００３６】
一方、図９（ａ）に示す脈波の測定信号の波形は、図８（ａ）に示す各期間における加速度に応じた波形となっている。具体的には、期間Ａ、Ｄは安静状態であるため、この期間における測定信号は一定周期で安定した波形となっており、これらの期間ではうっ血していない。期間Ａから期間Ｂに移行後、振幅が徐々に小さくなっている。期間Ｂは、図８（ａ）に示すように装着部位を重力方向に向けたうっ血しやすい姿勢且つ安静状態である。この状態は血液還流が鈍くなるため、静脈血に含まれる還元ヘモグロビンの増加により、発光素子から発せられる光に対する吸収量が増え、反射光量が減少する。また、動脈と静脈の血流量が減少することにより血管の膨張と収縮が弱まるので、血管の容積変化を表す脈波振幅が小さくなり、その結果、期間Ａよりも振幅が１／３乃至１／４以下となっている。この現象は、図９（ｂ）に示す、図９（ａ）の波形データについての移動標準偏差の波形にも現われている。移動標準偏差は、測定部位における皮下血管内の血液の厚みの変化量を表す。つまり、うっ血していない場合には、心拍のリズムに沿って、動脈血は上腕から測定部位を通過して指先へ向かい、静脈血は指先から測定部位を通過して上腕へ流れるが、うっ血状態になると動脈及び静脈の血液量の変化が小さくなるため移動標準偏差の振幅が小さくなる。従って、期間Ｂ（３０秒〜８０秒）ではうっ血状態となっていることが分かる。
次に、期間Ｃは、うっ血しやすい姿勢で手を前後に振る動作を行っているため、図８（ａ）の波形で示すように体動によって加速度が大きく変動し、測定信号も体動の影響を受けて安静状態よりも振幅が大きく変動して波形が乱れているが、手を振る動作によって血液が流れやすくなりうっ血状態とはなっていない。
【００３７】
上述した実施形態では、装置本体１０が装着された装着部位の動きや姿勢に応じた加速度と、測定部位を流れる血液の量に応じて変化する測定信号の振幅とに基づいて、測定部位がうっ血状態となっているか否かを判定することができる。また、うっ血状態の場合には、うっ血状態によるノイズ成分が除去された脈波信号を出力するためより正確に脈波を測定することができる。
【００３８】
＜変形例＞
本発明は、上述した実施形態に限定されるものではなく、以下のように変形させて実施してもよい。また、以下の変形例を組み合わせてもよい。
【００３９】
（１）上述した実施形態では、安静状態であるか否かを判定するための閾値が記憶部１８０に記憶されている例を説明したが、測定対象となる生体に応じた閾値が記憶されていてもよいし、記憶部１８０内の閾値を利用者が操作部１６０を介して調整できるように構成してもよい。測定対象によっては安静状態にしようとしても震えなどの体動が生じる場合があるため、測定対象ごとに閾値を調整できるようにすることで、より正確に安静状態であるか否かを判定することができる。
【００４０】
（２）上述した実施形態では、装置本体１０の側に加速度センサー１７が設けられている例を説明したが、例えば脈波センサー２０を収納する筐体などに加速度センサー１７が設けられていてもよい。この場合、装置本体１０とケーブル３０を介して加速度センサー１７からの加速度信号を取得するように構成する。
【００４１】
（３）上述した実施形態では、受発光部２１０は、青色光の波長の光を発する発光素子と発光素子が発した光を受光する受光素子とで構成される例を説明したが、発光素子が発する光は、緑色光、赤外光、近赤外光などでもよい。
【００４２】
（４）上述した実施形態における脈波センサー２０は、測定部位に照射した光の反射光を受光する例を説明したが、測定部位に照射して透過した光を受光するように構成してもよい。
【００４３】
（５）上述した実施形態では、姿勢検出部１７０において３軸の加速度センサー１７を有し、３軸の加速度センサー１７において装着部位の姿勢や動きに応じた物理量を検出する例を説明したが、物理量を検出するセンサーとしては２軸の加速度センサーやジャイロセンサーを用いるようにしてもよい。
【００４４】
（６）上述した実施形態では、脈波測定装置１は、装置本体１０と脈波センサー２０とをケーブル３０で接続して構成される例であったが、装置本体１０と脈波センサー２０とを一体に構成して、例えば測定対象者の手首に装着するようにしてもよい。
【００４５】
（７）上述した実施形態では、装置本体１０は腕時計のように手首に装着する例を説明したが、装置本体１０は、例えば携帯電話機や携帯情報端末などの装置でもよい。この場合、装置本体１０と脈波センサー２０とを無線通信により接続するように構成してもよい。
【００４６】
（８）上述した実施形態では、脈波測定装置１を例に説明したが、装置本体１０の信号処理部１２０と制御部１１０の機能を有するうっ血判定装置において、生体に装着された姿勢検出部１７０と脈波センサー２０から、装着部位又は測定部位における加速度、測定部位における測定信号を無線又は有線通信により取得し、取得した加速度と測定信号とを用いて測定部位がうっ血状態であるか否か判定するようにしてもよい。
【００４７】
（９）上述した実施形態では、脈波センサー２０が装着される測定部位は人差指の例を説明したが、手の甲、手首、上腕でもよい。
【符号の説明】
【００４８】
１・・・脈波測定装置、１０・・・装置本体、１５・・・ディスプレイ、１６・・・操作スイッチ、１７・・・加速度センサー、２０・・・脈波センサー、３０・・・ケーブル、４０・・・バンド、１１０・・・制御部、１１１・・・判定部、１１２・・・脈波出力部、１１２ａ・・・適応フィルタ処理部、１１２ｂ・・・解析部、１２０・・・信号処理部、１２０ａ・・・第１信号処理部、１２０ｂ・・・第２信号処理部、１３０・・・計時部、１４０・・・クロック供給部、１５０・・・表示部、１６０・・・操作部、１７０・・・姿勢検出部、１８０・・・記憶部、２１０・・・受発光部、２２０・・・駆動部
【図１】
0005927843.tif 000002
【図２】
0005927843.tif 000003
【図３】
0005927843.tif 000004
【図４】
0005927843.tif 000005
【図５】
0005927843.tif 000006
【図６】
0005927843.tif 000007
【図７】
0005927843.tif 000008
【図８】
0005927843.tif 000009
【図９】
0005927843.tif 000010